(57)【特許請求の範囲】
【請求項１】
上方開口した断面略Ｖ字状または断面略台形状の反射板内に器具本体を位置させて包装する包装装置において、
前記反射板は、
長手方向両端にそれぞれ形成された端板部と、
両側にそれぞれ上方に拡開して形成された傾斜側板部と、
これら傾斜側板部の長手方向両端にそれぞれ穿設された挿通部とからなり、
前記包装装置は、
前記反射板と前記器具本体との間に介在しこの器具本体を支える器具本体支え部と、
前記反射板の長手方向両端部にそれぞれ折曲げられて装着される一枚の包装部材からなる端部緩衝体と、
前記反射板と前記器具本体およびこの反射板の両端部にそれぞれ装着された端部緩衝体の側面周囲を巻回する一枚の包装部材からなる巻板とを備え、
前記端部緩衝体は、
前記反射板の端板部外面側に設けられ指掛用開閉部を有する矩形状のつま面部とこのつま面部の下縁から折曲げ形成される底面部と前記つま面部の上縁から折曲げ形成される天面部とこの天面部から下方に折曲げられ前記端板部内面側に形成される端板受け部とからなる断面略ロ字状の端板覆い部と、
この端板覆い部の底面部には、前記反射板の両傾斜側板部の長手方向外面に沿ってそれぞれ当接し前記反射板を支持する一対の反射板支持部を上方にそれぞれ折曲げ形成するとともに、これら一対の反射板支持部上縁からそれぞれ突出して前記反射板の挿通部に挿通しそれぞれ折曲げられて前記反射板の傾斜側板部の内面に当接する第１の保持部をそれぞれ設け、
前記端板覆い部の端板受け部の下縁からそれぞれ前記傾斜側板部に沿うように折曲げられ、前記第１の保持部上に重合する保持押え部と前記端板受け部の下縁からそれぞれ下方に突出し前記反射板の挿通部に挿通する第２の保持部をそれぞれ設けたことを特徴とする包装装置。
【発明の詳細な説明】
【０００１】
【発明の属する技術分野】
本発明は、上方開口した反射板内に器具本体を位置させて包装する包装装置に関する。
【０００２】
【従来の技術】
従来、例えば図６に示す包装装置が知られている。この包装装置は、平面状に展開可能な外装箱５の内側に、照明器具の器具本体３０と上方開口した断面略Ｖ字状の反射板４０とを上下に位置させて収納するようになっている。
【０００３】
前記器具本体３０は、断面略コ字状をした器具本体主体３１とこの器具本体主体３１の長手方向両端両側に回動可能に略Ｖ字状のランプソケット取付板（図示せず）が装着され、これらランプソケット取付板に嵌合してランプソケット（図示せず）がそれぞれ装着されている。
【０００４】
図７は反射板４０の長手方向両端にそれぞれ装着される端部緩衝体１８で、この端部緩衝体１８は、短形板状をなす外板１９とこの外板１９内側面に接着剤で接着固定された反射板４０の断面形状と略同一形状に形成された略Ｖ字状の載置部２０ａを有する内板２０とからなる。なお、外板１９および内板２０は、それぞれ一枚の段ボ−ル材から板状の包装材から形成されている。
【０００５】
平面状に展開可能な外装箱５は、略矩形状をした底面部６とこの底面部６の長手方向両側からそれぞれ外方に連続形成された側面部７，７および外フラップ部８，８および底面部６の長手方向両端からそれぞれ連続形成されたつま面部９，９と内フラップ部１０，１０とから形成されている。
【０００６】
包装装置の梱包手順を図６を参照して説明する。
【０００７】
断面略Ｖ字状の反射板４０内に、略三角型状をした一対の器具本体支え部１５，１５と一対の端部支え部１６，１６をそれぞれ装着したのち、これら器具本体支え部１５，１５と端部支え部１６，１６の上側に器具本体３０を載置する。
【０００８】
端部緩衝体１８，１８を反射板４０の長手方向両端にそれぞれ装着したのち、外装箱５の底面部６上に載置する。それから、つま面部９，９を上方にそれぞれ折曲げて端部緩衝体１８，１８の外面に当接させるとともに、内フラップ部１０，１０をそれぞれ内方に折曲げ、端部緩衝体１８，１８の上縁および器具本体主部３１の上面に当接させる。さらに、側面部７，７をそれぞれ上方に折曲げて端部緩衝体１８，１８の側縁にそれぞれ突き当てるとともに、外フラップ部８，８をそれぞれ内方に折曲げて内フラップ部１０，１０の上面に突き当てる。
【０００９】
最後に、外フラップ部８，８の突合せ部とつま面部９，９にテ−プ（図示せず）を貼付けて、梱包作業を完了する。
【００１０】
【発明が解決しようとする課題】
上記のように従来の包装装置では、反射板４０の両端にそれぞれ装着される端部緩衝体１８，１８は、平板状であるとともに、端部緩衝体１８の反射板４０支持は、平板状の内板２０に形成されたＶ字状載置部２０ａに載置させるだけである。さらに、反射板４０を装着する端部緩衝体１８の載置部２０ａの幅が、狭いことから反射板４０を端部緩衝体１８，１８に確実に保持することが困難であるとともに梱包作業に手間がかかるという問題があった。
【００１１】
さらに、端部緩衝体が平板状であることから、端部緩衝体の外面をそれぞれ保持する必要がある。このために、平面状に展開可能な外装箱に、つま面部と内フラップ部をそれぞれ設けなければならず、外装箱の材料を多く必要とするなど包装コストがアップするという問題があった。
【００１２】
本発明は上記の点に鑑みてなされたもので、被包装物を確実に保持できるととも包装コストを削減できる包装装置を提供することを課題とする。
【００１３】
【課題を解決するための手段】
前記課題を達成するために、本発明の包装装置は、上方開口した断面略Ｖ字状または断面略台形状の反射板内に器具本体を位置させて包装する包装装置において、前記反射板は、長手方向両端にそれぞれ形成された端板部と、両側にそれぞれ上方に拡開して形成された傾斜側板部と、これら傾斜側板部の長手方向両端にそれぞれ穿設された挿通部とからなり、前記包装装置は、前記反射板と前記器具本体との間に介在しこの器具本体を支える器具本体支え部と、前記反射板の長手方向両端部にそれぞれ折曲げられて装着される一枚の包装部材からなる端部緩衝体と、前記反射板と前記器具本体およびこの反射板の両端部にそれぞれ装着された端部緩衝体の側面周囲を巻回する一枚の包装部材からなる巻板とを備え、前記端部緩衝体は、前記反射板の端板部外面側に設けられ指掛用開閉部を有する矩形状のつま面部とこのつま面部の下縁から折曲げ形成される底面部と前記つま面部の上縁から折曲げ形成される天面部とこの天面部から下方に折曲げられ前記端板部内面側に形成される端板受け部とからなる断面略ロ字状の端板覆い部と、この端板覆い部の底面部には、前記反射板の両傾斜側板部の長手方向外面に沿ってそれぞれ当接し前記反射板を支持する一対の反射板支持部を上方にそれぞれ折曲げ形成するとともに、これら一対の反射板支持部上縁からそれぞれ突出して前記反射板の挿通部に挿通しそれぞれ折曲げられて前記反射板の傾斜側板部の内面に当接する第１の保持部をそれぞれ設け、前記端板覆い部の端板受け部の下縁からそれぞれ前記傾斜側板部に沿うように折曲げられ、前記第１の保持部上に重合する保持押え部と前記端板受け部の下縁からそれぞれ下方に突出し前記反射板の挿通部に挿通する第２の保持部をそれぞれ設けたことを特徴とするものである。
【００１４】
上記の構成において、本発明の包装装置の端部緩衝体は、略矩形状の一枚の段ボ−ルなどからなる包装材を折曲線を介してそれぞれ折曲げることにより、反射板の長手方向両端部を覆うとともに、反射板の両端部にそれぞれ形成された挿通部の下方から挿通する一対の第１の保持部と挿通部の上方から挿通する一対の第２の保持部および一対の第１の保持部の上面に重合するの保持押え部とで、反射板の端部に端部緩衝体が確実に装着保持される。
【００１５】
【発明の実施の形態】
以下、図１ないし図５を参照して本発明の実施の形態を説明する。なお、従来技術と同一の構成部品は同一の番号を付して説明する。
【００１６】
図３（Ａ）および図３（Ｂ）は、被包装物としての天井直付形照明器具で、この照明器具は、器具本体３０とこの器具本体３０に装着される反射板４０とから構成されている。
【００１７】
前記器具本体３０は、断面略コ字状をした器具本体主部３１と、この器具本体主部３１の長手方向両端両側に回動可能に装着された一対の略Ｖ字状のランプソケット取付板３２，３２と、これらランプソケット取付板３２，３２に形成された嵌合溝（図示せず）に嵌合されてランプソケット３３，３３がそれぞれ装着されている。この器具本体主部３１の両側にそれぞれ対向して取付けられたランプソケット３３，３３間には、図示しない直管型蛍光ランプがそれぞれ着脱自在に装着されて照明器具として使用に供される。
【００１８】
前記反射板４０は、上方開口した断面略Ｖ字状または断面略台形状をなし、長手方向両端にそれぞれ対向して形成された端板部４１，４１と長手方向両側にそれぞれ上方に拡開して形成された傾斜側板部４２，４２とから構成されている。さらに、傾斜側板部４２，４２の長手方向両端には、器具本体３０のランプソケット３３，３３が挿通される略矩形状孔の挿通部４３，４３がそれぞれ穿設されている。
【００１９】
図２は反射板と器具本体とを包装装置で包装した状態を示す斜視図で、この包装装置は、それぞれ段ボ−ル材をフル−トに直交する方向に屈曲してなる一対の端部緩衝体５０，５０と、一対の器具本体支え部４６，４６と巻板１００とから構成されている。
【００２０】
図１は本発明に係る端部緩衝体を展開した展開図で、端部緩衝体５０には、反射体４０の端部に形成された端板部４１の外面側を覆う垂直状のつま面部である略矩形状の第２壁面部５２と、この第２壁面部５２の下端に形成された折曲線６０を介して端板部４１の下方側に折曲げ形成される底面部である第１壁面部５１と、前記第２壁面部５２の上端に形成された折曲線６１を介して端板部４１の上方側に折曲げ形成される天面部である第３壁面部５３が第１壁面部５１、第２壁面部５２と同幅で形成されるとともに、第３壁面部５３の上端両側に形成された切込線８３，８３の下端同志を結んで形成された折曲線６２を介して反射板４０の端板部４１の内面側に折曲げ形成され、端板部４１の内面の外縁部間の離間寸法よりやや小さい寸法で形成された端板受け部である第４壁面部５４とからなる断面略ロ字状の端板覆い部５８が形成されている。
【００２１】
さらに、第２壁面部５２内には、この包装装置を持ち運びする際のつまみとする指掛用開閉部７５，７５が上下にそれぞれ形成されている。この指掛用開閉部７５，７５は、長手方向上下に平行に形成された折曲線６５，６５とこれら折曲線６５，６５の両端同志を結んで両側に形成された切込線８０，８０と折曲線６５，６５の中間に形成された切込線８１を境に上下にそれぞれ形成されている。
【００２２】
上記第１壁面部５１の中央付近下縁側から上方に平行してそれぞれ形成された折曲線６３，６３と、これら折曲線６３，６３の上端から内側方向にそれぞれ形成された切込線８６，８６との間に、反射板４０の両傾斜側板部４２，４２の長手方向外面に当接して反射板４０を支持する一対の反射板支持部７０，７０がそれぞれ形成されている。さらに、前記切込線８６，８６より少し下方に位置するとともに、この切込線８６，８６間に形成された切込線８７と前記一対の反射板支持部７０，７０の内端に形成された折曲線６４，６４とこれら折曲線６４，６４の中間に形成された切込線８８とに囲まれて、反射板４０に形成された挿通部４３を挿通する一対の第１の保持部７２，７２が形成されている。さらに、前記折曲線６４，６４の外方に略コ字状に形成された切込線８９，８９にそれぞれ囲まれて反射板支持部７０，７０内に引掛部７１，７１がそれぞれ形成されている。
【００２３】
さらに、上記第４壁面部５４の上端にそれぞれ形成された略ハの字型の半カット７７，７８を介して反射体４０の内面傾斜側板部４２，４２に沿って折曲げられるとともに、第１の保持部７２，７２上面に当接する保持押え部である第５壁面部５５と第６壁面部５６とがそれぞれ形成されている。この第５壁面部５５および第６壁面部５６には、半カット７７，７８の中央部から上方にそれぞれ略コ字状に形成された切込線８４，８４に囲まれて第２の保持部７３，７３がそれぞれ形成されている。この第２の保持部７３は、反射板４０の各挿通部４３を挿通する形状になっている。さらに、これら第２の保持部７３，７３の上部には、下方に略コ字状に形成された切込線８５に囲まれて保護片部７４，７４がそれぞれ形成されている。なお、Ａは、段ボ−ル材の中芯のフル−ト方向を示すものである。
【００２４】
図２において、１００は矩形状の一枚の段ボ−ル材からなる巻板で、底板部１０１とこの底板部１０１の両側から外方にそれぞれ形成された側面部１０２，１０２と上フラップ部１０３，１０３とから形成されている。なお、この巻板１００は、折曲線を介して両側面部１０２，１０２および上フラップ部１０３，１０３をそれぞれ内方に略直角に折曲げられて、断面略ロ字状に形成される。なお、Ｂは、段ボ−ル材の中芯のフル−ト方向を示すものである。
【００２５】
梱包手順につき図１ないし図５を参照して説明する。
【００２６】
端部緩衝体５０を最初に図３（Ｃ）に示すように折曲げ、図４に示す手順で反射体の端部に装着する。
【００２７】
第１ステップとして、折曲線６０を介して第１壁面部５１を第２壁面部５２に対して略直角に折曲げる。さらに、第１壁面部５１の中央下端にそれぞれ形成されている一対の反射板支持部７０を折曲線６３，６３を介して上方に略直角に対向してそれぞれ折曲げるとともに、第３壁面部５３を折曲線６１を介して内側方向に略４５度に折曲げる。さらに、第５壁面部５５および第６壁面部５６を半カット７７および半カット７８を介して外側方向に略４５度にそれぞれ折曲げる。
【００２８】
第２ステップとして、図４（Ａ）に示すように、反射板４０の端部側に形成されている矩形状孔からなる一対の挿通部４３，４３に端部緩衝体５０に形成されている一対の第１の保持部７２，７２をそれぞれ挿通し、反射板支持部７０，７０の上縁に形成されている肩部７０ａ，７０ａに反射板４０の傾斜側板部４２，４２外面を突当って支持する。さらに、図４（Ｂ）に示すように、一対の第１の保持部７２，７２を内側方向にそれぞれ折曲線６４，６４を介して傾斜側板部４２，４２内面に突当るまで折曲げる。
【００２９】
第３ステップとして、図４（Ｃ）に示すように、第３壁面部５３を折曲線６１を介して第１壁面部５１と平行になるまで内側方向に折曲げる。さらに、第４壁面部５４を折曲線６２を介して下方に折曲げていく。この際、図４（Ｂ）に示すように、第２の保持部７３の先端部７３ａを引掛片７１の外側縁７１ａと挿通部４３の外側縁４３ａとの間に形成された隙間６７に挿入しつつ、第５壁面部５５および第６壁面部５６を半カット７７および半カット７８を介してそれぞれ反射板４０の傾斜側板部４２，４２に沿って折曲げる。第５壁面部５５および第６壁面部５６が折曲げられた状態では、第５壁面部５５および第６壁面部５６は、第１の保持部７３，７３の上面に当接した状態で折曲げられている。上記のように、第４壁面部５４に形成されている一対の第１の保持部７３，７３は、引掛片７１，７１により引掛けられているので、外側方向にひろがることはない。
【００３０】
第４ステップとして、図５に示すように、器具本体を反射板内に位置させて収納する。最初に、一対の器具本体支え部４６をそれぞれ反射板４０の端部にそれぞれ載置し、器具本体３０の長手方向両端両側に取付けられているランプソケット３３，３３を挿通孔４３，４３にそれぞれ挿入させ、器具本体主部３１の下面に器具本体支え部４６の上面が突当たるまで挿入する。この状態では、図５に示すように、器具本体主部３１の上面は、端部緩衝体５０の第３壁面部５３の上面と略同一面に位置して反射板４０内に器具本体３０は収納される。なお、器具本体３０のランプソケット３３，３３を反射板４０の挿通部４３，４３に挿通する際、ランプソケット３３，３３は、図４（Ｃ）に示す略矩形状の挿入孔６８，６８に挿通するので、端部緩衝体５０の保護片部７４，７４によりランプソケット３３，３３は保護されるので、傷がつくのを防止することができる。
【００３１】
最後のステップとして、器具本体支え部４６，４６を介して器具本体３０が収納された反射板４０の両端にそれぞれ装着された一対の端部緩衝体５０，５０を巻板１００の底面部１０１に載置するとともに、側板部１０２，１０２および上フラップ部１０３，１０３をそれぞれ内方に折曲げて、図５に示すように、端部緩衝体５０，５０の側面周囲を巻回し、上フラップ１０３，１０３部同志の突当部および端部緩衝体５０のつま面部である第２壁面部５２，５２にかけてテ−プ１０４を貼り付けて梱包作業を完了する。
【００３２】
次に上記実施の形態の作用を説明する。
【００３３】
本発明の包装装置の端部緩衝体５０は、略矩形状の一枚の段ボ−ルなどからなる包装材を折曲線を介してそれぞれ折曲げることにより反射板４０の長手方向両端部を覆うとともに、反射板４０の両端部にそれぞれ形成された挿通部４３，４３の下方から挿通する端部緩衝体５０の一対の第１の保持部７２，７２と挿通部４３，４３の上方から挿通する端部緩衝体５０の一対の第２の保持部７３，７３および前記一対の第１の保持部７２，７２の上面に重合する端部緩衝体５０の保持押え部５５，５６とで、反射体４０の端部に端部緩衝体５０，５０が保持される。このため、端部緩衝体５０，５０を反射板４０の端部に確実に保持することができ、梱包作業時間を削減することができる。
【００３４】
反射板４０の端部に保持される端部緩衝体５０，５０は、反射板４０の端板部４１，４１の外面側を端部緩衝体５０のつま面部５２で覆う構成となっているので、照明器具の周囲を巻回する巻板１００は、一枚の略矩形状の包装材を使用すればよいので、外装部材である巻板１００の形状を小さくできるので、包装コストを削減することができる。
【００３５】
【発明の効果】
以上詳記したように本発明によれば、反射板４０の挿通部４３，４３に下方から挿通する第１の保持部７２，７２および上方から挿通する第２の保持部７３，７３と第１の保持部７２，７２の上面に重合する保持押え部である第５壁面部５５および第６壁面部５６とを一枚の板状部材からなる端部緩衝体５０を屈曲形成して設け、反射板４０の両端部にそれぞれ装着保持する構成としたので、端部緩衝体を反射板の両端部にそれぞれ確実に保持することができるとともに、梱包作業時間を削減することができる。
【００３６】
さらに、反射板の端板部４１，４１の外面側は、端部緩衝体のつま面部である第２壁面部５２で覆う構成としたので、巻板は形状を小さくでき、包装コストを削減することができる。
【図面の簡単な説明】
【図１】本発明の第１の実施の形態に係る端部緩衝体を示す展開図。
【図２】同実施の形態における包装装置を示す分解斜視図。
【図３】同実施の形態における端部緩衝体と反射板および器具本体を示すもので、
（Ａ）は器具本体を示す斜視図。
（Ｂ）は反射板を示す斜視図。
（Ｃ）は端部緩衝体を示す斜視図。
【図４】同実施の形態における端部緩衝体と反射板に装着する手順を示すもので、
（Ａ）は端部緩衝体の保持部を反射板の挿通部に挿通した状態を示す斜視図。
（Ｂ）は端部緩衝体の保持部を下方に折曲げて反射板の傾斜側板部に突当てた状態を示す斜視図。
（Ｃ）は端部緩衝体の保持押え部を端部緩衝体の保持部上に重合させて折曲げた状態を示す斜視図。
【図５】同実施の形態における包装装置で反射板と器具本体を包装した状態を示す断面図。
【図６】従来技術に係る包装装置を示す展開斜視図。
【図７】従来技術に係る包装装置の端部緩衝体を示す斜視図。
【符号の説明】
１５…器具本体支え部，
３０…器具本体，
４０…反射板，
４１…端板部，
４２…傾斜側板部，
４３…挿通部，
５０…端部緩衝体，
５１…底面部（第１の壁面部），
５２…つま面部（第２の壁面部），
５３…天面部（第３の壁面部），
５４…端板受け部（第４の壁面部），
５５…保持押え部（第５の壁面部），
５６…保持押え部（第６の壁面部），
５８…端板覆い部，
７０…反射板支持部，
７２…第１の保持部，
７３…第２の保持部，
７５…指掛用開閉部，
１００…巻板。
【図１】
0003637667.tif 000002
【図２】
0003637667.tif 000003
【図３】
0003637667.tif 000004
【図４】
0003637667.tif 000005
【図５】
0003637667.tif 000006
【図６】
0003637667.tif 000007
【図７】
0003637667.tif 000008